(57)【要約】【課題】車両に乗車中であってもコンテンツ記録済みの所望のパッケージメディアを試聴並びに購入することができるパッケージメディア販売システム及びパッケージメディア販売方法を提供する。【解決手段】車載試聴機１０のユーザが所望の曲の試聴を要求すると、車載試聴機１０の現在位置をサービスエリアとする車載機用通信ホスト３０がその試聴要求を店舗ホスト２０へ送り、店舗ホスト２０から試聴要求に応じた曲データの一部が送られてくると、それを車載試聴機１０へ送り、その後、車載試聴機１０のユーザが購入を希望すると、その購入要求を店舗ホスト２０へ送り、店舗ホスト２０から送られてくる音楽コンテンツ関連データと課金要求とを車載試聴機１０へ送る。【選択図】図１
2006178906.tif 000002
【特許請求の範囲】
【請求項１】
無線通信網を利用してデータの送受信が可能な車載試聴機と、
ネットワークを利用して音楽又は映像のコンテンツの配信を行う店舗ホストと、
前記車載試聴機と前記店舗ホストとの間のデータの授受を仲介する車載機用通信ホストとを備え、
前記車載試聴機は、ユーザが入力した試聴要求又は購入要求を前記車載機用通信ホスト経由で前記店舗ホストへ送り、
前記店舗ホストは、前記車載機用通信ホスト経由で前記車載試聴機から試聴要求が送られてくると、試聴要求された音楽又は映像のコンテンツの試聴用データを前記車載試聴機へ送り、前記車載試聴機から購入要求が送られてくると、購入要求された音楽又は映像のコンテンツの全てを前記車載試聴機へ送るとともに、前記車載試聴機のユーザの登録住所へ前記購入要求された音楽又は映像のコンテンツのパッケージメディアを配送するための処理を行うパッケージメディア販売システム。
【請求項２】
前記店舗ホストは、前記車載試聴機からの試聴要求に伴い試聴用の前記音楽又は映像のコンテンツを前記車載試聴機へ送るとともに、試聴用の前記音楽又は映像のコンテンツに関連するお勧めコンテンツも同時に送り、
前記車載試聴機は、前記店舗ホストから送られてきた試聴用の前記音楽又は映像のコンテンツの再生を行うとともに前記お勧めコンテンツを表示する請求項１に記載のパッケージメディア販売システム。
【請求項３】
前記店舗ホストは、購入要求された前記音楽又は映像のコンテンツを圧縮処理して前記車載試聴機へ送り、その際に前記音楽又は映像のコンテンツのジャケット画像も同時に送る請求項１又は請求項２に記載のパッケージメディア販売システム。
【請求項４】
前記店舗ホストは、前記車載試聴機からの試聴要求時及び購入要求時のユーザの認証において、前記車載試聴機の固有情報と前記車載試聴機のユーザを特定する認証情報の双方又はいずれか一方を用いる請求項１乃至請求項３のいずれかに記載のパッケージメディア販売システム。
【請求項５】
前記車載試聴機は、前記店舗ホストから送られてきた試聴用の前記音楽又は映像のコンテンツを試聴時に該車載試聴機の固有情報と前記音楽又は映像のコンテンツの固有情報とを前記店舗ホストへ送り、
前記店舗ホストは、前記車載試聴機から該車載試聴機の固有情報と前記音楽又は映像のコンテンツの固有情報が送られてくると、前記音楽又は映像のコンテンツの試聴に伴う著作権管理を行う請求項１乃至請求項４のいずれかに記載のパッケージメディア販売システム。
【請求項６】
前記店舗ホストは、著作権の管理から同一コンテンツの試聴回数を制限する請求項１乃至請求項５のいずれかに記載のパッケージメディア販売システム。
【請求項７】
無線通信網を利用してデータの送受信が可能な車載試聴機のユーザが所望の音声又は映像のコンテンツの試聴を要求すると、前記車載試聴機の現在位置をサービスエリアとする車載機用通信ホストが前記車載試聴機からの試聴要求を受けて、それを音楽又は映像のコンテンツの配信を行う店舗ホストへ送り、該店舗ホストから試聴要求に応じた音楽又は映像のコンテンツの一部が送られてくると、それを前記車載試聴機へ送り、その後、前記車載試聴機のユーザが購入を希望すると、その購入要求を前記店舗ホストへ送り、前記店舗ホストが購入要求を受け取ることで該店舗ホストから送られてくる前記音楽又は映像のコンテンツの全てと課金要求とを前記車載試聴機へ送り、前記店舗ホストでは、前記音声又は映像のコンテンツのパッケージメディアを前記車載試聴機のユーザ宅へ発送する処理を行うパッケージメディア販売方法。
【発明の詳細な説明】
【技術分野】
【０００１】
本発明は、音楽や映像等のコンテンツが記録されたＣＤ（Compact Disc）、ＭＤ（Mini Disc）、ＤＶＤ（Digital Versatile Disc）などのパッケージメディアを販売するパッケージメディア販売システム及びパッケージメディア販売方法に関する。
【背景技術】
【０００２】
従来、上述したパッケージメディアを入手する場合、直接店頭に出向いたり、Ｗｅｂサイトにアクセスしたりするようにしている。特に音楽コンテンツを記録したパッケージメディアにおいては、購入前に店頭でもＷｅｂサイトでも試聴することが可能となっている。すなわち、試聴機が置かれた店舗では、それを使って購入希望のパッケージメディアを試聴することができる。また、試聴用の音楽データのダウンロードを可能としたＷｅｂサイトの店舗では、予め再生用のソフトウェアを入手してコンピュータにインストールしておくことで、購入希望のパッケージメディアを試聴することができる。
【０００３】
また、パッケージメディアを入手するのではなく、データそのものを入手する場合、例えばカラオケ曲のデータをガソリンスタンドなどの店舗に設置されたソフトコピー機で購入できるようにした技術が提案されている（例えば、特許文献１参照）。この特許文献１で開示された技術では、ユーザが所望のカラオケ曲を入手したい場合に、ソフトコピー機が設置された店舗に出向いてフロッピーディスクなどの可搬型記録媒体に所望のカラオケ曲のデータをコピーする。
【０００４】
そして、所望のカラオケ曲のデータをコピーした可搬型記録媒体を車載のソフト再生装置で再生する。ソフト再生装置では、データが音楽データと歌詞データとからなるものであれば、音楽データについてはアナログ音声信号に変換した後、ＦＭラジオ周波数帯の周波数に変調して送信し、歌詞データについては、文字・映像データに変換した後、表示手段上に表示する。
【０００５】
【特許文献１】特開平６−２０２９６８号公報
【発明の開示】
【発明が解決しようとする課題】
【０００６】
しかしながら、従来のパッケージメディアの入手においては、次のような問題がある。
【０００７】
（１）店舗で購入する場合、店舗に行くのに時間がかかり面倒である。
（２）車両に乗っているときには購入することができない。
【０００８】
（３）Ｗｅｂサイトで購入する場合、インターネット接続環境が必要となり、インターネットに無縁の人やパソコンを持っていない人は購入することができない。
（４）特許文献１で開示された技術でもカラオケ曲のデータを入手するためには、コピー機が設置された場所に行かなければならない。すなわち、店舗に出向かなければならない。また、特許文献１では試聴できる点についての言及はなされていない。
【０００９】
本発明は、係る事情に鑑みてなされたものであり、車両に乗ったままで所望のパッケージメディアを試聴並びに購入することができるパッケージメディア販売システム及びパッケージメディア販売方法を提供することを目的とする。
【課題を解決するための手段】
【００１０】
上記目的は下記構成及び方法により達成される。
本発明のパッケージメディア販売システムは、無線通信網を利用してデータの送受信が可能な車載試聴機と、ネットワークを利用して音楽又は映像のコンテンツの配信を行う店舗ホストと、前記車載試聴機と前記店舗ホストとの間のデータの授受を仲介する車載機用通信ホストとを備え、前記車載試聴機は、ユーザが入力した試聴要求又は購入要求を前記車載機用通信ホスト経由で前記店舗ホストへ送り、前記店舗ホストは、前記車載機用通信ホスト経由で前記車載試聴機から試聴要求が送られてくると、試聴要求された音楽又は映像のコンテンツの試聴用データを前記車載試聴機へ送り、前記車載試聴機から購入要求が送られてくると、購入要求された音楽又は映像のコンテンツの全てを前記車載試聴機へ送るとともに、前記車載試聴機のユーザの登録住所へ前記購入要求された音楽又は映像のコンテンツのパッケージメディアを配送するための処理を行う。
【００１１】
この構成により、車載試聴機のユーザは、音楽又は映像のコンテンツを試聴できるとともに気に入れば購入できるので、店舗へ出かけることなく車両に乗ったままで所望のコンテンツのパッケージメディアを購入することが可能となる。また、パッケージメディアの販売業者は、店舗に試聴機を設置することなく販売ができるので、経費削減が可能となる。
【００１２】
また、本発明のパッケージメディア販売システムは、前記店舗ホストは、前記車載試聴機からの試聴要求に伴い試聴用の前記音楽又は映像のコンテンツを前記車載試聴機へ送るとともに、試聴用の前記音楽又は映像のコンテンツに関連するお勧めコンテンツも同時に送り、前記車載試聴機は、前記店舗ホストから送られてきた試聴用の前記音楽又は映像のコンテンツの再生を行うとともに前記お勧めコンテンツを表示する。
【００１３】
この構成により、車載試聴機にて試聴要求を出すと、店舗ホストから、車載試聴機のユーザが要求した音楽又は映像のコンテンツの一部に加え、該ユーザが要求したコンテンツに関連するお勧めコンテンツが送られてくるので、今回要求したコンテンツ以外のコンテンツを簡単な操作で試聴することが可能となる。
【００１４】
また、本発明のパッケージメディア販売システムは、前記店舗ホストは、購入要求された前記音楽又は映像のコンテンツを圧縮処理して前記車載試聴機へ送り、その際に前記音楽又は映像のコンテンツのジャケット画像も同時に送る。
【００１５】
この構成により、店舗ホストからは音楽又は映像のコンテンツが圧縮処理されて送られてくるので、車載試聴機において圧縮処理する手間が省ける。また、音楽又は映像のコンテンツの他にジャケット画像が送られてくるので、ジャケット画像を車載試聴機にて気軽に表示させることができる。
【００１６】
また、本発明のパッケージメディア販売システムは、前記店舗ホストは、前記車載試聴機からの試聴要求時又は購入要求時のユーザの認証において、前記車載試聴機の固有情報と前記車載試聴機のユーザを特定する認証情報の双方又はいずれか一方を用いる。
【００１７】
この構成により、車載試聴機からの試聴要求時及び購入要求時の双方において同一の認証情報を用いるので、認証処理の簡略化が図れる。
【００１８】
また、本発明のパッケージメディア販売システムは、前記車載試聴機は、前記店舗ホストから送られてきた試聴用の前記音楽又は映像のコンテンツを試聴時に該車載試聴機の固有情報と前記音楽又は映像のコンテンツの固有情報とを前記店舗ホストへ送り、前記店舗ホストは、前記車載試聴機から該車載試聴機の固有情報と前記音楽又は映像のコンテンツの固有情報が送られてくると、前記音楽又は映像のコンテンツの試聴に伴う著作権管理を行う。
【００１９】
この構成により、音楽又は映像のコンテンツを試聴時に車載試聴機の固有情報と音楽又は映像のコンテンツの固有情報とを店舗ホストへ送るので、試聴に伴う著作権の管理が可能となる。
【００２０】
また、本発明のパッケージメディア販売システムは、前記店舗ホストは、著作権の管理から同一コンテンツの試聴回数を制限する。
【００２１】
この構成により、著作権の管理から同一コンテンツの試聴回数を制限するので、店舗において著作権を管理した状態での試聴による販促営業が可能となる。
【００２２】
また、本発明のパッケージメディア販売方法は、無線通信網を利用してデータの送受信が可能な車載試聴機のユーザが所望の音声又は映像のコンテンツの試聴を要求すると、前記車載試聴機の現在位置をサービスエリアとする車載機用通信ホストが前記車載試聴機からの試聴要求を受けて、それを音楽又は映像のコンテンツの配信を行う店舗ホストへ送り、該店舗ホストから試聴要求に応じた音楽又は映像のコンテンツの一部が送られてくると、それを前記車載試聴機へ送り、その後、前記車載試聴機のユーザが購入を希望すると、その購入要求を前記店舗ホストへ送り、前記店舗ホストが購入要求を受け取ることで該店舗ホストから送られてくる前記音楽又は映像のコンテンツの全てと課金要求とを前記車載試聴機へ送り、前記店舗ホストでは、前記音声又は映像のコンテンツのパッケージメディアを前記車載試聴機のユーザ宅へ発送する処理を行う。
【００２３】
この方法により、車載試聴機のユーザは、音楽又は映像のコンテンツを試聴できるとともに気に入れば購入できるので、店舗へ出かけることなく車両に乗ったままで所望のコンテンツのパッケージメディアを購入することが可能となる。また、パッケージメディアの販売業者は、店舗に試聴機を設置することなく販売ができるので、経費削減が可能となる。
【発明の効果】
【００２４】
本発明のパッケージメディア販売システムによれば、車載試聴機のユーザは、音楽又は映像のコンテンツを試聴できるとともに気に入れば購入できるので、店舗へ出かけることなく車両に乗ったままで所望のコンテンツのパッケージメディアを購入することが可能となる。また、パッケージメディアの販売業者は、店舗に試聴機を設置することなく販売ができるので、経費削減が可能となる。
【発明を実施するための最良の形態】
【００２５】
以下、本発明を実施するための好適な実施の形態について、図面を参照して詳細に説明する。
【００２６】
図１は、本発明の一実施の形態に係るパッケージメディア販売システムの概略構成を示すブロック図である。この図において、本実施の形態のパッケージメディア販売システムは、車両１００に搭載して使用する車載試聴機１０と、音楽や映像のコンテンツを提供する店舗ホスト２０と、車載試聴機１０と店舗ホスト２０との間の仲介を行う車載機用通信ホスト３０と、パッケージメディアの発送処理を行う発送業務用システム４０とを備えている。
【００２７】
車載試聴機１０と車載機用通信ホスト３０は通信網２００を介して無線接続される。また、車載機用通信ホスト３０と店舗ホスト２０はインターネット３００を介して有線接続される。車載機用通信ホスト３０は、様々な場所に設置され、車載試聴機１０を所有する全てのユーザに対して可能な限りサービスできるようにしている。発送業務用システム４０は、店舗ホスト２０からの発送指示に従って車載試聴機１０のユーザが購入を希望した曲のパッケージメディア５０をユーザ宅６０へ発送する処理を行う。なお、車載機用通信ホスト３０は移動体通信システムの基地局と組み合わせて設置しても良いし、基地局内に設けても構わない。以下、車載試聴機１０、車載機用通信ホスト３０及び店舗ホスト２０夫々について詳細に説明する。
【００２８】
〔車載試聴機１０〕
車載試聴機１０は、車載機用通信ホスト３０と無線通信を行うための通信処理部１０１と、曲（音楽）データを再生する音声再生部１０２と、音楽コンテンツ関連データのなかのアルバムタイトル、曲タイトル、アーティスト名、ジャンル名などを表示するための表示部１０３と、本機１０を操作するための各種入力を行う操作部１０４と、本機各部を制御する制御部１０５と、音楽コンテンツ関連データ等を保存する蓄積部１０６とを備えている。制御部１０５は、図示せぬＣＰＵ(中央処理装置)と、ＣＰＵを制御するためのプログラムが記憶されたプログラムメモリと、ＣＰＵの動作において使用されるワークメモリと、本機１０の機器ＩＤ(固有情報)、本機１０のユーザのユーザアドレス及び認証用データ等の個人認証情報を記憶している不揮発性メモリとを備えている。これらのデータはユーザが車載試聴機１０を購入した時に記録される。通信処理部１０１、音声再生部１０２、表示部１０３、操作部１０４、制御部１０５及び蓄積部１０６は図示せぬバスラインを介して共通接続されている。
【００２９】
制御部１０５は、本機１０のユーザが操作部１０４を用いて入力した試聴要求や購入要求を通信処理部１０１から送信する制御や、通信処理部１０１にて受信された課金要求や音楽コンテンツ関連データを蓄積部１０６や表示部１０３に入力する。この場合、曲データについては蓄積部１０６から音声再生部１０２に入力して音楽を再生させ、表示データについては表示部１０３に入力する。
【００３０】
車載試聴機１０では、ユーザが試聴を希望する操作を行うと、現在の場所をサービス領域としている車載機用通信ホスト３０に対してアクセス要求を送る。そして、車載機用通信ホスト３０から認証要求があると、車載機用通信ホスト３０に機器ＩＤと、ユーザアドレス、認証用データ等の個人認証情報を送る。そして、車載機用通信ホスト３０における認証が終了すると、試聴要求が車載機用通信ホスト３０から店舗ホスト２０へ送られる。店舗ホスト２０がこの試聴要求を受け取ることで、その試聴要求に応じた曲データを車載機用通信ホスト３０経由で送ってくるので、その曲データを受信してアナログ音声信号に復調して音声出力する。この場合、試聴用データは試聴であるので曲の全部のデータが送られてくるのではなく、先頭から数秒間のデータや曲のサビの部分だけなど一部のデータのみ送られてくることになる。また、曲データを受け取ることで著作権が発生するので、今受け取った曲データのコンテンツＩＤと機器ＩＤを店舗ホスト２０へ送る。なお、試聴用のデータとしては上記の他にノイズを混ぜるなど音質を下げたデータとしてもよい。
【００３１】
試聴用の曲を再生出力した後、車載試聴機１０のユーザが購入要求を入力すると、その購入要求を車載機用通信ホスト３０へ送る。車載機用通信ホスト３０へ送った購入要求は店舗ホスト２０へ送られる。店舗ホスト２０がこの購入要求を受け取ることで、購入要求に応じた音楽コンテンツ関連データと課金要求が車載機用通信ホスト３０経由で送られてくるので、音楽コンテンツ関連データの表示データ(例えば、ジャケット画像)をドット展開して表示部１０３に表示する。この場合、曲データは圧縮されて送られてくる。このように、車載試聴機１０を使用することにより、車両に乗ったままでも希望する曲を試聴してその曲のコンテンツを購入することができる。また同時にパッケージメディア５０も購入することができる（後述）。
【００３２】
〔車載機用通信ホスト３０〕
車載機用通信ホスト３０は、車載試聴機１０の機器ＩＤや、ユーザアドレス及び認証用データ等の個人認証情報を含む各種データを蓄積するユーザデータベース３０１と、車載試聴機１０と無線通信を行うための通信処理部３０２と、店舗ホスト２０とインターネットを介した有線通信を行うための通信処理部３０３と、ホスト全体の制御を行う制御部３０４とを備えている。ユーザデータベース３０１、通信処理部３０２、通信処理部３０３及び制御部３０４は図示せぬバスラインを介して共通接続されている。ユーザデータベース３０１には、登録が行われた全ての車載試聴機１０のデータが蓄積される。制御部３０４は、図示せぬＣＰＵと、ＣＰＵを制御するためのプログラムが記憶されたプログラムメモリと、ＣＰＵの動作において使用されるワークメモリとを備えている。
【００３３】
車載機用通信ホスト３０では、車載試聴機１０よりアクセス要求があると、車載試聴機１０の認証を行う。この認証においては、車載試聴機１０が保持している機器ＩＤと個人認証情報が用いられる。認証の際に参照されたこれら機器ＩＤや個人認証情報はユーザデータベース３０１に記録される。また、認証ができた場合には要求受け入れ可能状態となり、この状態で車載試聴機１０から試聴要求が送られてくると、その試聴要求を店舗ホスト２０に送る。この場合、試聴要求を送る前に店舗ホスト２０にアクセスし、機器ＩＤと個人認証情報を送る。店舗ホスト２０との間でコネクションが確立すると、車載試聴機１０からの試聴要求を店舗ホスト２０へ送る。なお、ユーザ認証においては、必ずしも機器ＩＤと個人認証情報のすべてを必要とするのではなく、いずれか１つでも構わない。つまり、ユーザ認証時に使用する情報に限定はない。なお、認証を車載機用ホスト３０にて行う様に説明しているが、もちろん認証に関する情報を全て店舗ホスト２０へ送る様にして、認証処理を店舗ホスト２０で行う様にしてもよい。
【００３４】
店舗ホスト２０に試聴要求を送ることで、店舗ホスト２０からその試聴要求に応じた曲データの一部が送られてくると、それを車載試聴機１０へ送る。試聴用の曲データを車載試聴機１０へ送ることで、車載試聴機１０から曲データのコンテンツＩＤと機器ＩＤが送られてくるので、それを店舗ホスト２０へ送って、試聴が行われたことを通知する。その後、車載試聴機１０のユーザが購入を決めて車載試聴機１０から購入要求が送られてくると、その購入要求を店舗ホスト２０へ送る。そして、店舗ホスト２０へ購入要求を送ることで店舗ホスト２０から音楽コンテンツ関連データと課金要求が送られてくることになり、そのまま車載試聴機１０へ送る。このように車載機用通信ホスト３０は、車載試聴機１０と店舗ホスト２０との間でデータの仲介を行う。
【００３５】
〔店舗ホスト２０〕
店舗ホスト２０は、音楽コンテンツ関連データを蓄積する音楽コンテンツ関連データベース２０１と、個人認証情報とユーザ宅住所を含めた顧客データを蓄積する顧客データベース２０２と、車載機用通信ホスト３０との間の通信制御を行う通信サーバ処理部２０３と、顧客のプロファイルを管理するプロファイリング処理部２０４と、コンテンツの著作権を管理する著作物使用料算出処理部２０５と、装置各部を制御する制御部２０６とを備えている。
【００３６】
音楽コンテンツ関連データベース２０１、顧客データベース２０２、通信サーバ処理部２０３、プロファイリング処理部２０４、著作物使用料算出処理部２０５及び制御部２０６は、図示せぬバスラインを介して共通接続されている。
【００３７】
音楽コンテンツ関連データベース２０１には、曲データ、アルバムタイトル、曲タイトル、ジャケット画像、ブックレット画像、歌詞情報、アーティスト名、ジャンル名等が蓄積される。顧客データベース２０２には、機器ＩＤ、ユーザアドレス、試聴履歴データ(アルバムＩＤ、曲ＩＤ、試聴回数、試聴時刻、試聴時間など)、購入履歴データ(アルバムＩＤ、曲ＩＤ、アーティストジャンル、購入時刻など)等が蓄積される。なお、車載試聴機１０のユーザがクレジットカードの情報の登録を行った場合には、そのクレジットカード情報が個人認証情報に付加される。個人認証情報にクレジットカード情報が付加された場合はコンテンツ購入時の支払い方法に関する入力が省かれるので、コンテンツ購入時の操作が簡略化される。
【００３８】
制御部２０６は、図示せぬＣＰＵと、ＣＰＵを制御するためのプログラムが記憶されたプログラムメモリと、ＣＰＵの動作において使用されるワークメモリとを備えている。
【００３９】
店舗ホスト２０では、車載機用通信ホスト３０よりアクセス要求があると、試聴要求してきた車載試聴機１０の機器ＩＤと個人認証情報の認証を行う。この認証は、車載試聴機１０の機器ＩＤと個人認証情報が顧客データベース２０２に登録されているか否かに基づいて行われる。試聴要求してきた車載試聴機１０の機器ＩＤ及び個人認証情報が顧客データベース２０２に登録済みのものであれば、要求受け入れ可能状態になり、この状態で、まず顧客データベース２０２に試聴履歴を記録し、次いで音楽コンテンツ関連データベース２０１から曲データの一部を読み出す。その後、音楽コンテンツ関連データの内容を基にお勧めコンテンツ情報を作成する。
【００４０】
そして、読み出した曲データの一部とお勧めコンテンツ情報を車載機用通信ホスト３０経由で車載試聴機１０へ送る。車載試聴機１０のユーザは、お勧めコンテンツ情報を参照することで、操作不要なランダム試聴が可能となる。試聴用の曲を送った後、車載機用通信ホスト３０経由で車載試聴機１０からコンテンツＩＤと機器ＩＤとが送られてくると顧客データベース２０２に試聴履歴データとして格納し、さらに著作物使用料算出処理部２０５にて著作物使用料を算出して著作物使用料データを著作権の保護を行っている関連機関(例えばＪＡＳＲＡＣ：財団法人日本音楽著作権協会)へ送る。
【００４１】
試聴用としての曲データを車載機用通信ホスト３０経由で車載試聴機１０へ送った後、車載機用通信ホスト３０経由で車載試聴機１０から購入要求が送られてくると、音楽コンテンツ関連データベース２０１から曲の全データ、アルバムタイトル、曲タイトル、ジャケット画像、ブックレット画像、歌詞情報、アーティスト名、ジャンル名などの音楽コンテンツ関連データを読み出す。そして、この音楽コンテンツ関連データと課金要求を車載機用通信ホスト３０経由で車載試聴機１０へ送る。
【００４２】
また同時に発注情報を発送業務用システム４０へ送る。これにより、発送業務用システム４０からパッケージメディア５０が郵送又は運送業者によって、購入要求してきた車載試聴機１０のユーザ宅６０迄配送される。
【００４３】
このように店舗ホスト２０は、車載機用通信ホスト３０経由で車載試聴機１０から試聴要求があれば、該当する曲データの一部を送り、その後に購入要求があれば、車載試聴機１０へコンテンツ関連データと課金要求を送るとともに、発送業務用システム４０へ発注情報を送る。
【００４４】
〔パッケージメディア販売システムの動作〕
図２は、上記構成のパッケージメディア販売システムにおけるデータの流れを示すシーケンス図である。まず車載試聴機１０から車載機用通信ホスト３０にアクセス要求が送られる（ステップＳ１０）。車載機用通信ホスト３０にアクセス要求が送られると、車載機用通信ホスト３０と車載試聴機１０との間で認証が行われる（ステップＳ１１）。認証が正常に行われた場合には車載機用通信ホスト３０から車載試聴機１０へ認証が正常に行われたことを示す信号が送られる（ステップＳ１２）。
【００４５】
認証が正常に行われたことを示す信号が車載試聴機１０へ送られた後、車載試聴機１０のユーザが好みの曲を試聴するための試聴要求を操作部１０４より入力する。これにより、車載試聴機１０から試聴要求が車載機用通信ホスト３０へ送られる（ステップＳ１３）。車載機用通信ホスト３０へ試聴要求が送られると、車載機用通信ホスト３０から店舗ホスト２０にアクセス要求が送られる（ステップＳ１４）。店舗ホスト２０にアクセス要求が送られると、店舗ホスト２０と車載機用通信ホスト３０との間で認証が行われる（ステップＳ１５）。このとき、車載試聴機１０と車載機用通信ホスト３０との間の認証に用いられた情報と同一の情報(機器ＩＤ、個人認証情報)が用いられる。認証が正常に行われた場合は、店舗ホスト２０から車載機用通信ホスト３０へ認証が正常に行われたことを示す信号が送られる（ステップＳ１６）。車載機用通信ホスト３０へ認証が正常に行われたことを示す信号が送られると、車載機用通信ホスト３０から店舗ホスト２０に試聴要求が送られる（ステップＳ１７）。なお、認証が正常に行われなかった場合は通信が終了する。
【００４６】
店舗ホスト２０に試聴要求が送られると、店舗ホスト２０から試聴要求に該当する曲の試聴用データとお勧めコンテンツ情報とが車載機用通信ホスト３０を経由して車載試聴機１０へ送られる（ステップＳ１８）。車載試聴機１０にユーザが試聴要求した曲のデータが送られると、車載試聴機１０では、音声再生部１０２から、その曲データがアナログ音声信号に復調されて音声出力され、表示部１０３には、お勧めコンテンツ情報が表示される。また、試聴用の曲データと、お勧めコンテンツ情報を受け取ることで、車載試聴機１０から、機器ＩＤと該曲データのコンテンツＩＤとが車載機用通信ホスト３０を経由して店舗ホスト２０へ送られる(ステップＳ１９)。
【００４７】
車載試聴機１０にて、ユーザの希望する曲が音声出力されることで、ユーザがその曲の購入を決めて操作部１０４から購入要求を入力すると、その購入要求が車載試聴機１０から車載機用通信ホスト３０を経由して店舗ホスト２０へ送られる（ステップＳ２０）。店舗ホスト２０に購入要求が送られると、店舗ホスト２０から音楽コンテンツ関連データと課金要求とが車載機用通信ホスト３０を経由して車載試聴機１０へ送られる（ステップＳ２１、ステップＳ２２）。これにより、車載試聴機１０では、音楽コンテンツ関連データのうちの表示データがドット展開されて表示部１０３に表示される。この際、表示部１０３には、アルバムタイトル、ソングタイトル(曲名)、アーティスト名、ジャンル名などが表示される。
【００４８】
店舗ホスト２０では、購入要求を受け取ることで、発注情報が発送業務用システム４０へ送られる（ステップＳ２３）。そして、発送業務用システム４０からパッケージメディア５０が郵送又は運送業者によって、購入要求してきた車載試聴機１０のユーザ宅６０へ向けて発送される（ステップＳ２４）。
【００４９】
このように本実施の形態のパッケージメディア販売システムによれば、車両１００に搭載して使用し、通信網２００を利用してデータの送受信が可能な車載試聴機１０と、インターネット３００を利用して音楽や映像等の各種コンテンツの配信を行う店舗ホスト２０と、車載試聴機１０と店舗ホスト２０との間のデータの授受を仲介する車載機用通信ホスト３０と、パッケージメディア５０を発注先へ発送する処理を行う発送業務用システム４０とを備え、車載試聴機１０のユーザが所望の曲の試聴を要求すると、車載試聴機１０の現在位置をサービスエリアとする車載機用通信ホスト３０が、車載試聴機１０からの試聴要求を受けてそれを店舗ホスト２０へ送り、店舗ホスト２０から試聴要求に応じた曲データの一部が送られてくると、それを車載試聴機１０へ送り、その後、車載試聴機１０のユーザが購入を希望すると、その購入要求を店舗ホスト３０へ送り、店舗ホスト２０が購入要求を受け取ることで、その店舗ホスト２０から送られてくる音楽コンテンツ関連データと課金要求とを車載試聴機１０へ送り、店舗ホスト２０では、発送業務システム４０に発注情報を与えてパッケージメディア５０の発送を行い、またその一方で試聴履歴データに基づいて著作物使用料を算出してその結果を著作物使用料データとして著作権の保護を行っている関連機関へ送る。
【００５０】
これにより、店舗へ出かけることなく車両に乗ったままで所望のパッケージメディア５０を試聴したうえで購入することが可能となる。また、店舗ホスト２０より圧縮済みのデータとジャケット画像のデータが送られてくるので、車載試聴機１０おいて圧縮処理を省くことができ、またジャケット画像を車載試聴機１０に気軽に表示させることができる。また、予め店舗ホスト２０もしくは車載試聴機１０にクレジットカード情報を登録しておくことで購入時の入力が簡単になる。一方、店舗側では、店頭に試聴機を設置することなく販売を行うことができるので経費の節減が可能になる。さらに著作権を管理した状態での試聴による販促営業が可能となる。
【００５１】
なお、上記実施の形態においては、車載試聴機１０からの試聴要求時にのみ認証を行うようにしたが、購入要求時でも認証を行うようにしても良い。この場合、同一の認証情報を用いることで認証処理の簡略化が図れる。因みに、それぞれの場合において異なる認証情報を用いた場合には、認証処理の簡略化は図れないが、セキュリティ性を高めることができる。
【００５２】
また、上記実施の形態では、同一曲の試聴回数に対する制限を設けなかったが、著作物使用料算出処理部２０５からの情報で同一曲の試聴回数を制限するようにしても良い。
【００５３】
また、上記実施の形態では、音楽コンテンツのパッケージメディアを販売するようにしたが、ＤＶＤ等の映像コンテンツのパッケージメディアを販売することも勿論可能である。この場合、上記構成ではＤＶＤの音楽部分のみ扱えるが、映像データを扱えるようにすることも容易に実現可能である。例えば、店舗ホスト２０には、映像コンテンツ関連データを扱う映像コンテンツ関連データベースを設け、車載試聴機１０には、映像情報を再生できる映像再生部を設ける。車載機用通信ホスト３０は、単にデータの流れを仲介するものであるので、映像データも音楽データと同様に扱うことは可能である。
【００５４】
また、上記実施の形態では、車両に搭載して使用する専用の車載試聴機１０を設けたが、この車載試聴機１０の機能を携帯電話やＰＤＡ（Personal Digital Assistant）等の移動通信端末に設けることも可能である。特に携帯電話の場合はパソコンよりも普及しており、かつＷｅｂサイトへの接続が容易であるので、インターネットに無縁の人やパソコンを持っていない人でも試聴・購入が簡単に行える。また、車中への持ち運びも楽に行えるので、車両に乗っているときでも試聴・購入を行うことができる。
【００５５】
また、適用可能な電子機器としては、ＥＴＣ（Electric Toll Collection system）端末やＤＳＲＣ（Dedicated Short Range Communication）端末も勿論可能である。特に、これらの端末に応用することで、これらの認証情報を用いて課金することもできる。さらに、カーテレビやカーナビゲーションにも適用可能である。
【産業上の利用可能性】
【００５６】
本発明は、車両に乗車中であってもコンテンツ記録済みの所望のパッケージメディアを試聴並びに購入することができるといった効果を有し、コンテンツ及びパッケージメディアを販売するシステム等への適用が可能である。
【図面の簡単な説明】
【００５７】
【図１】本発明の一実施の形態に係るパッケージメディア販売システムの概略構成を示すブロック図
【図２】上記実施の形態に係るパッケージメディア販売システムの動作を説明するためのシーケンス図
【符号の説明】
【００５８】
１０  車載試聴機
２０  店舗ホスト
３０  車載機用通信ホスト
４０  発送業務用システム
５０  パッケージメディア
６０  ユーザ宅
１０１、３０２、３０３  通信処理部
１０２  音声再生部
１０３  表示部
１０４  操作部
１０５、２０６、３０４  制御部
１０６  蓄積部
２０１  音楽コンテンツ関連データベース
２０２  顧客データベース
２０３  通信サーバ処理部
２０４  プロファイリング処理部
２０５  著作物使用料算出処理部
３０１  ユーザデータベース
【図１】
2006178906.tif 000003
【図２】
2006178906.tif 000004